【事件の表示】
　商願２０１６−５９１１８拒絶査定不服審判事件について，次のとおり審決する。
【結　論】
　原査定を取り消す。
　本願商標は，登録すべきものとする。
【理　由】
１　本願商標
　本願商標は，別掲１のとおりの構成からなり，第３７類「建設工事，建築設備の運転，暖冷房装置の修理又は保守，貯蔵槽類の修理又は保守，電気通信機械器具の修理又は保守，電動機の修理又は保守，配電用又は制御用の機械器具の修理又は保守，ボイラーの修理又は保守，ポンプの修理又は保守，民生用電気機械器具の修理又は保守，冷凍機械器具の修理又は保守」を指定役務として，平成２８年６月１日に登録出願されたものである。
２　引用商標
　原査定において，本願商標が商標法第４条第１項第１１号に該当するとして，本願の拒絶の理由に引用した登録商標は，以下の（１）ないし（５）のとおりであり，いずれの商標権も，現に有効に存続しているものである。
（１）登録第５５７２５６９号商標（以下「引用商標１」という。）は，別掲２のとおりの構成からなり，平成２４年５月１日に登録出願，第３７類「建設工事，建設工事に関する助言，建設設備の運転・点検・整備，暖冷房装置の修理又は保守，バーナーの修理又は保守，ボイラーの修理又は保守，ポンプの修理又は保守，冷凍機械器具の修理又は保守，民生用電気機械器具の修理又は保守，照明用器具の修理又は保守，水質汚濁防止装置の修理又は保守」を指定役務として，同２５年４月５日に設定登録されたものである。
（２）登録第５７０２２４３号商標（以下「引用商標２」という。）は，「ＡＩＲ」の欧文字を横書きしてなり，平成２６年１月２７日に登録出願，第３７類「太陽光発電装置の修理又は保守」のほか，第３６類及び第４２類に属する商標登録原簿記載のとおりの役務を指定役務として，同年９月１２日に設定登録されたものである。
（３）登録第５８０９９７４号商標（以下「引用商標３」という。）は，別掲３のとおりの構成からなり，平成２６年１月２７日に登録出願，第３７類「太陽光発電装置の修理又は保守」のほか，第３６類及び第４２類に属する商標登録原簿記載のとおりの役務を指定役務として，同２７年１２月４日に設定登録されたものである。
（４）登録第５８８０１７２号商標（以下「引用商標４」という。）は，別掲４のとおりの構成からなり，平成２８年３月２３日に登録出願，第３７類「建設工事，建築設備の運転・点検・整備，暖冷房装置の修理又は保守，バーナーの修理又は保守，ポンプの修理又は保守，電気通信機械器具の修理又は保守，民生用電気機械器具の修理又は保守，電動機の修理又は保守，配電用又は制御用の機械器具の修理又は保守，発電機の修理又は保守」のほか，第３５類ないし第４５類に属する商標登録原簿記載のとおりの役務を指定役務として，同年９月９日に設定登録されたものである。
（５）登録第５８８０１７３号商標（以下「引用商標５」という。）は，別掲５のとおりの構成からなり，平成２８年３月２３日に登録出願，第３７類「建設工事，建築設備の運転・点検・整備，暖冷房装置の修理又は保守，バーナーの修理又は保守，ポンプの修理又は保守，電気通信機械器具の修理又は保守，民生用電気機械器具の修理又は保守，電動機の修理又は保守，配電用又は制御用の機械器具の修理又は保守，発電機の修理又は保守」のほか，第３５類ないし第４５類に属する商標登録原簿記載のとおりの役務を指定役務として，同年９月９日に設定登録されたものである。
　以下，引用商標１ないし５をまとめて「引用商標」という場合がある。
３　当審の判断　
（１）本願商標について
　本願商標は，別掲１のとおり，デザイン化して顕著に表した「Ｎ」の欧文字と，その内部の右下部分に「ＡＩＲ」の欧文字を白抜きで表した部分（以下，これらを「Ｎ図形」という。）と，内部に連続した枝葉の図形を左右に白抜きで表した黒塗りの肉太円輪郭を，Ｎ図形の右部分の上下からその全体を囲むように配した構成からなるものである。
　そして，本願商標の構成中のＮ図形部分は，「Ｎ」の欧文字と，内部の「ＡＩＲ」の欧文字とが一体化して表されているものであり，これに接する需要者，取引者は，Ｎ図形全体をもって一体不可分のものと認識し，把握するとみるのが自然であるから，Ｎ図形部分は，「エヌエアー」又は「エアーエヌ」の称呼を生じ，特定の意味合いを有しないものということができる。
　また，その構成中，肉太円輪郭の図形部分からは，特定の称呼及び観念を生じないものである。
　そうすると，本願商標は，その構成中，Ｎ図形部分から「エヌエアー」又は「エアーエヌ」の称呼を生じ，特定の観念を生じないものである。
（２）引用商標について
　ア　引用商標１について
　引用商標１は，別掲２のとおり，上段に「ａｉｒ」の欧文字を大きくやや縦長に横書きし，その下段には「ＹＯＳＨＩＴＡＮＩ」の欧文字を小さく横書きしてなるところ，構成各文字から「エアーヨシタニ」の称呼を生じ，特定の観念を生じないものであるが，その構成中の顕著に表された「ａｉｒ」の欧文字から「エアー」の称呼をも生じ，該文字は「空気」を意味する英語であるから，「空気」の観念を生じるものである。
　そうすると，引用商標１は，「エアーヨシタニ」及び「エアー」の称呼を生じ，「空気」の観念を生じるものである。
　イ　引用商標２について
　引用商標２は，前記２のとおり「ＡＩＲ」の欧文字を横書きしてなるところ，これより「エアー」の称呼を生じ，「空気」の観念を生じるものである。
　ウ　引用商標３について
　引用商標３は，別掲３のとおり，「ＡＩＲ」の欧文字を横書きし，その下段に「Ａｌｌ　Ｉｍｐｏｒｔａｎｃｅ　ｏｆ　Ｒｏｏｍ」の欧文字を小さく横書きし，これらの右側には，三本の波状の帯線図形を，黒色及び灰色で表してなるところ，その構成各文字からは，「エアーオールインポータンスオブルーム」の称呼を生じ，特定の観念を生じないものであるが，その構成中の顕著に大きく表された「ＡＩＲ」の欧文字から「エアー」の称呼をも生じ，該文字は「空気」を意味する英語であるから，「空気」の観念を生じるものである。
　そうすると，引用商標３は，「エアーオールインポータンスオブルーム」及び「エアー」の称呼を生じ，「空気」の観念を生じるものである。
　エ　引用商標４及び引用商標５について
　引用商標４及び引用商標５は，別掲４及び別掲５のとおり，薄青色，白色及び薄緑色で表された直角三角形様の図形の下に，「ＡＫＡＳＡＫＡ」，「ＩＮＴＥＲＣＩＴＹ」及び「ＡＩＲ」の欧文字を，異なる大きさで三段に表してなるところ，その構成中の各文字から，「アカサカインターシティエアー」の称呼を生じ，該文字部分は特定の意味合いを有しない一種の造語ということができ，また，その構成中の直角三角形様の図形部分からは，特定の称呼及び観念を生じないものである。
　そうすると，引用商標４及び５は，「アカサカインターシティエアー」の称呼を生じ，特定の観念を生じないものである。
（３）本願商標と引用商標との類否について
　本願商標は，上記（１）のとおり，デザイン化した「Ｎ」及びその内部に白抜きで表された「ＡＩＲ」の欧文字（Ｎ図形）と，円輪郭の図形からなるものである。
　他方，引用商標１は，上記（２）アのとおり，「ａｉｒ」及び「ＹＯＳＨＩＴＡＮＩ」の欧文字からなるものであり，引用商標２は，上記（２）イのとおり，「ＡＩＲ」の欧文字を横書きしたものであり，引用商標３は上記（２）ウのとおり，「ＡＩＲ」及び「Ａｌｌ　Ｉｍｐｏｒｔａｎｃｅ　ｏｆ　Ｒｏｏｍ」の欧文字と三本の波状の帯線図形から構成されるものであり，引用商標４及び引用商標５は，上記（２）エのとおり，「ＡＫＡＳＡＫＡ」，「ＩＮＴＥＲＣＩＴＹ」及び「ＡＩＲ」の欧文字と直角三角形様の図形から構成されるものである。
　そして，本願商標と引用商標とは，図形の有無及びそれぞれの構成態様，構成各文字の相違により，明らかに区別し得るものであり，外観上，相紛れるおそれはない。
　また，本願商標から生じる「エヌエアー」及び「エアーエヌ」の称呼と，引用商標から生じる「エアー」，「エアーヨシタニ」，「エアーオールインポータンスオブルーム」及び「アカサカインターシティエアー」の称呼とは，その構成音数，構成音の差異により，明瞭に聴別し得るものであって，称呼上，相紛れるおそれはない。
　さらに，観念については，本願商標は，特定の観念を生じないものであるから，引用商標と比較することができず，両商標は，観念上，類似するとはいえないものである。
　そうすると，本願商標と引用商標とは，外観，称呼及び観念のいずれからみても，相紛れるおそれのない非類似の商標というべきである。
　したがって，本願商標は，商標法第４条第１項第１１号に該当しない。
（４）まとめ
　以上のとおり，本願商標が商標法第４条第１項第１１号に該当するとして本願を拒絶した原査定は，取消しを免れない。 
　その他，本願について拒絶の理由を発見しない。 
　よって，結論のとおり審決する。